(57)【要約】【課題】  ガソリンスタンドのようなユーザの移動経路上に存在する店舗についても、ユーザによる商品や特典の情報等の店舗情報の取得を容易にし、一方でそのような店舗において効果的に集客を行う。【解決手段】  情報提供システム１０は、ユーザＩＤと出発地及び目的地を示す情報との入力を受け付ける入力受付部１０５と、出発地及び目的地を示す情報から地図情報データベース１０１を参照して経路を算出する経路算出部１０６と、経路の近傍に位置する給油所を給油所位置データベース１０２に基づいて選択する給油所選択部１０７と、ユーザデータベース１０３からユーザに関する情報を取得するユーザ情報取得部１０８と、ユーザに関する情報に応じて、選択された給油所の特典情報を給油所特典データベース１０４から取得する特典情報取得部１０９と、特典情報を出力する出力部１１１とを備える。【選択図】  図１
2008089342.tif 000002
【特許請求の範囲】
【請求項１】
ユーザを特定する情報に対応付けてユーザに関するユーザ情報を格納するユーザデータベースと、
店舗の位置情報及び当該店舗に関する店舗情報を店舗毎に格納する店舗データベースと、
地図情報を格納する地図情報データベースと、
ユーザを特定する情報と出発地及び目的地を示す情報とが対応付けられた入力を受け付ける入力受付手段と、
前記入力受付手段により受け付けられた出発地及び目的地を示す情報から、前記地図情報データベースに格納された地図情報を参照して、当該出発地から当該目的地までの経路を算出する経路算出手段と、
前記経路算出手段により算出された経路の近傍に位置する店舗を、前記店舗データベースに格納された前記店舗の位置情報に基づいて選択する店舗選択手段と、
前記入力受付手段により受け付けられたユーザを特定する情報に基づいて、前記ユーザデータベースから当該ユーザに関する情報を取得するユーザ情報取得手段と、
前記ユーザ情報取得手段により取得されたユーザに関する情報に応じて、前記店舗選択手段により選択された店舗の店舗情報を前記店舗データベースから取得する店舗情報取得手段と、
前記店舗情報取得手段により取得された店舗情報を出力する出力手段と、
を備える情報提供システム。
【請求項２】
前記ユーザ情報は、前記ユーザの属性を示す情報、及び前記店舗における前記ユーザの購買に関する情報を含むことを特徴とする請求項１に記載の情報提供システム。
【請求項３】
前記店舗情報は、前記店舗における前記ユーザに対する特典を示す特典情報を含むことを特徴とする請求項１又は２に記載の情報提供システム。
【請求項４】
前記店舗選択手段は、前記店舗の位置情報から定められる前記店舗を含む所定の範囲を、前記経路算出手段により算出された経路が通る場合に、当該店舗を当該経路の近傍に位置する店舗として選択することを特徴とする請求項１〜３の何れか一項に記載の情報提供システム。
【請求項５】
前記出力手段は、前記店舗情報取得手段により取得された店舗情報を、前記地図情報データベースに格納された地図情報にリンクさせて出力することを特徴とする請求項１〜４の何れか一項に記載の情報提供システム。
【発明の詳細な説明】
【技術分野】
【０００１】
本発明は、店舗の特典情報等の情報をユーザに対して提供する情報提供システムに関する。
【背景技術】
【０００２】
従来から、集客を目的として、指定された地域の店舗に関して店舗で販売されている商品の情報やクーポン等の特典を、ユーザに提供するシステムが提案されている（例えば、特許文献１及び２参照）。また、ガソリンスタンドのような店舗では、ユーザを特定するカードを発行すること等により、ユーザ毎のポイントに基づいて特典を提供することが行われている。
【特許文献１】特開２００４−３５５４９０号公報
【特許文献２】特開２００２−１４０５９６号公報
【発明の開示】
【発明が解決しようとする課題】
【０００３】
ところで、通常、サービスステーションとも呼ばれるガソリンスタンドには、ユーザが自動車等の移動手段でどこかに出かけたついでに寄ることが多い。従って、上記のようなシステムにおいて、ユーザが移動経路上のガソリンスタンドに関する情報を取得するには、移動経路の地域を指定する必要がある。しかしながら、通常、ユーザがそのような指定を行うには大きな手間を要し、あるいはそのような指定を行うことは難しいので、店舗における商品の情報やクーポン等の特典の提供を受けることが困難になっていた。これは、ガソリンスタンドを営業する側からすると、上記のようなシステムではガソリンスタンドのような店舗おいて効果的な集客を行うことは困難であることを示している。
【０００４】
本発明は、以上の問題点を解決するためになされたものであり、ガソリンスタンドのようなユーザの移動経路上に存在する店舗についても、ユーザが商品や特典の情報等の店舗情報を容易に取得することができ、一方でそのような店舗において効果的に集客を行うことができる情報提供システムを提供することを目的とする。
【課題を解決するための手段】
【０００５】
本発明に係る情報提供システムは、ユーザを特定する情報に対応付けてユーザに関するユーザ情報を格納するユーザデータベースと、店舗の位置情報及び当該店舗に関する店舗情報を店舗毎に格納する店舗データベースと、地図情報を格納する地図情報データベースと、ユーザを特定する情報と出発地及び目的地を示す情報とが対応付けられた入力を受け付ける入力受付手段と、入力受付手段により受け付けられた出発地及び目的地を示す情報から、地図情報データベースに格納された地図情報を参照して、当該出発地から当該目的地までの経路を算出する経路算出手段と、経路算出手段により算出された経路の近傍に位置する店舗を、店舗データベースに格納された店舗の位置情報に基づいて選択する店舗選択手段と、入力受付手段により受け付けられたユーザを特定する情報に基づいて、ユーザデータベースから当該ユーザに関する情報を取得するユーザ情報取得手段と、ユーザ情報取得手段により取得されたユーザに関する情報に応じて、店舗選択手段により選択された店舗の店舗情報を店舗データベースから取得する店舗情報取得手段と、店舗情報取得手段により取得された店舗情報を出力する出力手段と、を備えることを特徴とする。
【０００６】
本発明に係る情報提供システムでは、ユーザからの出発地及び目的地を示す情報の入力が受け付けられて、それらの情報に基づいて出発地から目的地までの経路が算出される。その後、当該経路の近傍に位置する店舗が選択されて、ユーザの情報に応じた当該店舗に関する店舗情報が取得されて出力される。従って、ユーザは自身を特定する情報に加えて出発地及び目的地を示す情報を入力するだけで、移動経路上に存在する店舗についても、店舗情報を容易に取得することができる。一方で、ユーザによる店舗情報の取得が宣伝広告となるため、店舗においても効果的に顧客を誘導して集客を行うことができる。
【０００７】
ユーザ情報は、ユーザの属性を示す情報、及び店舗におけるユーザの購買に関する情報を含むことが望ましい。この構成によれば、ユーザ毎に適切な情報の提供を行うことができるため、適切かつ訴求力の高い情報の提供を行うことができより効果的に集客を行うことができる。
【０００８】
店舗情報は、店舗におけるユーザに対する特典を示す特典情報を含むことが望ましい。この構成によれば、ユーザに対して訴求力の高い情報の提供を行うことができ更に効果的に集客を行うことができる。
【０００９】
店舗選択手段は、店舗の位置情報から定められる店舗を含む所定の範囲を、経路算出手段により算出された経路が通る場合に、当該店舗を当該経路の近傍に位置する店舗として選択することが望ましい。この構成によれば、確実に経路の近傍に位置する店舗を選択できるので、本発明を確実に実施することができる。
【００１０】
出力手段は、店舗情報取得手段により取得された店舗情報を、地図情報データベースに格納された地図情報にリンクさせて出力することが望ましい。この構成によれば、ユーザが閲覧しやすい形式で情報を提供することができる。
【発明の効果】
【００１１】
本発明に係る情報提供システムでは、ユーザは自身を特定する情報に加えて出発地及び目的地を示す情報を入力するだけで、移動経路上に存在する店舗についても、店舗情報を容易に取得することができる。一方で、ユーザによる店舗情報の取得が宣伝広告となるため、店舗においても効果的に顧客を誘導して集客を行うことができる。
【発明を実施するための最良の形態】
【００１２】
以下、図面とともに本発明に係る情報提供システムの好適な実施形態について詳細に説明する。なお、図面の説明においては同一要素には同一符号を付し、重複する説明を省略する。
【００１３】
図１に本実施形態に係る情報提供システム１０の構成を示す。情報提供システム１０は、ユーザに対して、ユーザが自動車等で移動する移動経路についての情報を提供し、当該経路上に存在する店舗における広告宣伝等の、ユーザによっては有益となり、店舗を営業するものには集客を行うことができる情報を提供するシステムである。本実施形態では、店舗としてガソリンスタンド（給油所）を例として説明する。
【００１４】
情報提供システム１０は、具体的には、ＣＰＵ（CentralProcessing Unit）やメモリ、通信モジュール等のハードウェアを備えるＰＣ（Personal Computer）やサーバ装置等のコンピュータにより実現される。また、情報提供システム１０は、複数のコンピュータを含んで構成されるコンピュータシステムとして実現されてもよい。情報提供システム１０は、例えば、インターネット等の通信網Ｎに通信されており、当該通信網Ｎに接続される端末２０との間で通信を行うことができる。
【００１５】
端末２０は、ユーザにより用いられ、ユーザが情報提供を受ける際のインターフェースとなるものである。端末２０は、上記のように通信網Ｎに接続されており、情報提供システム１０との間で通信を行うことができる。端末２０は、具体的には例えば、ユーザの自宅や給油所等で用いられるＰＣ等の情報端末やユーザにより携帯される携帯電話機等に相当する。端末２０は、情報提供システム１０に対して情報の入力を行うためのキーボード等の入力装置や、情報提供システム１０から送信された情報を出力するためのディスプレイ等の表示装置を備えている。
【００１６】
以下、本実施形態に係る情報提供システム１０の機能について説明する。図１に示すように情報提供システム１０は、地図情報データベース１０１と、給油所位置データベース１０２と、ユーザデータベース１０３と、給油所特典データベース１０４と、入力受付部１０５と、経路算出部１０６と、給油所選択部１０７と、ユーザ情報取得部１０８と、特典情報取得部１０９と、データ結合部１１０と、出力部１１１とを備えて構成されている。
【００１７】
地図情報データベース１０１は、地図情報を格納するデータベースである。具体的には、地図情報データベース１０１は、地図における道路を示す情報と、地図上の位置の緯度及び経路を示す情報と地図情報として格納している。地図情報は、当該地図情報に係る地図上の任意の２点間の経路を算出することができるような形式で格納される。地図情報データベース１０１としては、例えば、従来のカーナビゲーションシステム等で用いられる地図情報を格納したデータベースを用いることができる。
【００１８】
給油所位置データベース１０２は、給油所毎に給油所の位置を示す情報を格納するデータベースである。即ち、給油所位置データベース１０２は、情報提供対象となる店舗である給油所の位置情報を給油所毎に格納する店舗データベースである。給油所位置データベース１０２では、給油所の位置を示す情報は、例えば、給油所を特定する情報に対応付けられて、緯度及び経路を示す情報として保持される。
【００１９】
ユーザデータベース１０３は、情報提供システム１０により情報提供を受けるユーザを特定する情報に対応付けてユーザに関するユーザ情報を格納するデータベースである。ユーザ情報は、ユーザの属性を示す情報、及び給油所におけるユーザの購買に関する情報である給油実績を示す情報を含んでいることが望ましい。具体的には、ユーザデータベース１０３は、図２に示すようなテーブルに各情報を格納している。図２に示すように、ユーザを特定する「ユーザＩＤ」に、ユーザに関する情報が対応付けられている。ユーザの属性を示す情報としては図２に示すように、「氏名」、「性別」、「年齢」、「職業」、「自動車」、「住所」等である。また、給油実績を示す情報は、そのユーザが給油所毎に何Ｌ（リットル）給油したかを示す情報である。
【００２０】
ユーザデータベース１０３は、図１に示すように、ＰＯＳ（Point OfSales）システム３０に接続されており、ＰＯＳシステム３０から、ユーザデータベース１０３に格納されるユーザの給油実績を示す情報が自動的に更新されるようにするのが好ましい。なお、ユーザデータベース１０３に格納される給油実績を示す情報は、月毎のデータとして、月毎に更新されるようにしてもよい。
【００２１】
給油所特典データベース１０４は、給油所毎にユーザに対する特典を示す特典情報を格納するデータベースである。即ち、特典情報はユーザに提供される店舗に関する店舗情報であり、給油所特典データベース１０４は店舗情報を格納する店舗データベースである。具体的には、給油所特典データベース１０４は、図３に示すようなテーブルに各情報を格納している。図３に示すように給油所を特定する情報である「給油所名」に、「特典」情報が対応付けられている。特典は、ユーザに関する情報を含んだ条件が設定されているものを含んでいる。例えば、“ポイント５０点以上でガソリン１Ｌにつき１０円値引”といったユーザのポイントに基づいたもの、“女性にはたわしプレゼント”といったユーザの属性に基づいたもの、及び“ポイント３０点以上ＲＶ車は無料点検サービス”といったユーザのポイントとユーザの属性との両方に基づいたものがある。
【００２２】
上記のポイントは、ユーザの給油実績に基づいて給油所毎に計算される。ポイントの計算ルールを示す情報は、図３に示すように給油所特典データベース１０４に、給油所毎に格納されている。例えば、図３に示す給油所“Ａスタンド”の例では、ユーザが“Ａスタンド”で給油した分は１Ｌあたり１点として、“Ｂスタンド”で給油した分は１Ｌあたり０．５点として計算される。
【００２３】
給油所特典データベース１０４は、図１に示すように、情報入力用端末４０に接続されている。例えば特典を決定する担当者が当該情報入力用端末４０に対して特典情報を入力して、当該特典情報が情報提供システム１０に送信されることにより、給油所特典データベース１０４に格納される特典情報が更新される。
【００２４】
入力受付部１０５は、端末２０から、ユーザを特定する情報と出発地及び目的地を示す情報とが対応付けられた入力を受け付ける入力受付手段である。当該入力は、端末２０から通信網Ｎを介して上記の情報が情報提供システム１０に送信されることにより行われる。ユーザを特定する情報は、例えば上述したような、ユーザ毎に一意に定められた文字列であるユーザＩＤである。出発地及び目的地を示す情報は、例えば、緯度及び経度を示す情報あるいは地名である。入力受付部１０５は、入力されたユーザＩＤをユーザ情報取得部１０８に出力して、出発地及び目的地を示す情報を経路算出部１０６に出力する。
【００２５】
経路算出部１０６は、入力受付部１０５により受け付けられた出発地及び目的地を示す情報から、地図情報データベース１０１に格納された地図情報を参照して、当該出発地から当該目的地までの経路を算出する経路算出手段である。経路を算出するためのアルゴリズムは、従来のカーナビゲーションシステム等で用いられるものを用いることができる。経路算出部１０６は、算出した経路の情報を給油所選択部１０７に出力する。また、経路算出部１０６は、算出した経路の情報を、当該経路を含む範囲の地図情報を地図情報データベース１０１から取得してデータ結合部１１０に出力する。
【００２６】
給油所選択部１０７は、経路算出部１０６により算出された経路の近傍に位置する給油所を、給油所位置データベース１０２に格納された給油所の位置情報に基づいて選択する店舗選択手段である。給油所選択部１０７は、以下のように給油所の選択を行うことが望ましい。まず、給油所選択部１０７は、給油所位置データベース１０２から各給油所の位置情報を取得する。給油所選択部１０７は、取得した給油所の位置情報から、各給油所に対して所定の範囲を定める。例えば、取得した給油所の位置情報に係る位置を中心として、予め定められた長さの半径の円の範囲を上記の所定の範囲とする。続いて、給油所選択部１０７は、当該範囲を算出された経路が通る場合に、当該範囲に係る給油所を経路の近傍に位置する給油所として選択する。給油所選択部１０７は、選択した給油所を示す情報として給油所を特定する給油所名の情報をユーザ情報取得部１０８に出力する。また、給油所選択部１０７は、給油所を特定する給油所名の情報及び給油所の位置情報をデータ結合部１１０に出力する。
【００２７】
ユーザ情報取得部１０８は、入力受付部１０５により受け付けられたユーザＩＤに基づいて、ユーザデータベース１０３から当該ユーザに関する情報を取得するユーザ情報取得手段である。ユーザ情報取得部１０８により取得されるユーザに関する情報としては、図２に示すように「名前」、「性別」、「年齢」、「職業」、「自動車」及び「住所」等の特典情報を取得する際の条件に用いられるユーザの属性の情報である。また、ユーザ情報取得部１０８は、ユーザデータベース１０３から当該ユーザの給油実績を示す情報を取得して、当該給油実績から当該ユーザのポイントを計算する。ポイントの計算は、給油所選択部１０７により選択された給油所に関してのポイントの計算方法を示す情報が給油所特典データベース１０４から取得されて、当該情報に基づいて行われる。ユーザ情報取得部１０８は、取得あるいは計算した情報を特典情報取得部１０９に出力する。
【００２８】
特典情報取得部１０９は、ユーザ情報取得部１０８により取得されたユーザに関する情報に応じて、給油所選択部１０７により選択された給油所の特典情報を給油所特典データベース１０４から取得する店舗情報取得手段である。特典情報の取得は、選択された給油所毎に行われ、給油所特典データベース１０４に格納されたユーザの属性及びポイントの条件に合致したものに対して行われる。特典情報取得部１０９は、取得した給油所毎の特典情報をデータ結合部１１０に出力する。
【００２９】
データ結合部１１０は、経路算出部１０６、給油所選択部１０７及びユーザ情報取得部１０８から入力されたユーザに提供される各情報を結合する手段である。具体的には、データ結合部１１０は、予め定められたＨＴＭＬ（HyperText Markup Language）等の所定のフォーマットで各情報のデータを結合する。具体的には、経路算出部１０６により算出された経路を含む地図のデータの上に、当該経路示す情報と給油所選択部１０７により選択された給油所を示す情報とが重畳して表示されるように結合する。また、地図上の給油所の表示部分を選択すると、当該給油所におけるユーザに対する特典が表示されるように結合する。即ち、データ結合部１１０は、特典情報取得部１０９により取得された特典情報を、地図情報データベース１０１に格納された地図情報にリンクさせる出力手段の一機能である。データ結合部１１０は、結合したデータを出力部１１１に出力する。
【００３０】
出力部１１１は、データ結合部１１０により結合されたデータを、通信網Ｎを介して端末２０に送信する。即ち、出力部１１１は、特典情報取得部１０９により取得された特典情報を出力する出力手段である。
【００３１】
引き続いて、図４のフローチャートを用いて、本実施形態に係る情報提供システム１０で実行される処理を説明する。この処理は上述したように、ユーザに対して、ユーザが移動する移動経路を示す情報を提供し、当該経路上に存在する給油所の特典の情報を提供する処理である。この処理は、ユーザが端末２０に出発地及び目的地を示す情報を入力して、当該端末２０から情報提供システム１０に当該情報をユーザＩＤと共に送信することにより開始される。
【００３２】
端末２０におけるユーザＩＤの入力は、キーボード等の入力装置から行われてもよいし、ユーザ毎に携帯される会員カード等から読み出されてもよい。端末２０における出発地及び目的地を示す情報は、キーボード等の入力装置から行われてもよいし、ＧＵＩ（Graphical User Interface）により地図上で出発地及び目的地を指定することにより行われてもよい。
【００３３】
情報提供システム１０では、入力受付部１０５によって、端末２０から送信されたユーザＩＤと出発地及び目的地を示す情報とが受信される（Ｓ０１）。受信された出発地及び目的地を示す情報が、入力受付部１０５から経路算出部１０６に出力される。また、受信されたユーザＩＤが、入力受付部１０５からユーザ情報取得部１０８に出力される。
【００３４】
続いて、経路算出部１０６によって、地図情報データベース１０１が参照されて、出発地から目的地までの経路が算出される（Ｓ０２）。算出された経路の情報は、経路算出部１０６から給油所選択部１０７に出力される。また、算出された経路の情報と当該経路を含む範囲の地図情報とが、経路算出部１０６から給油所選択部１０７に出力される。
【００３５】
続いて、給油所選択部１０７によって、経路算出部１０６により算出された経路の近傍に位置する給油所が、給油所位置データベース１０２に格納された給油所の位置情報に基づいて選択される（Ｓ０３）。選択された給油所を示す情報が、給油所選択部１０７からユーザ情報取得部１０８に出力される。また、選択された給油所を示す情報及び当該給油所の位置情報が、給油所選択部１０７からデータ結合部１１０に出力される。
【００３６】
一方で、ユーザ情報取得部１０８によって、入力受付部１０５により受け付けられたユーザＩＤに基づいて、ユーザデータベース１０３から当該ユーザの属性及び給油実績の情報が取得される（Ｓ０４）。なお、Ｓ０２及びＳ０３の処理と、Ｓ０４の処理とは、互いに独立で行うことができるので、図４に示すようにパラレルに行われてもよい。
【００３７】
Ｓ０３及びＳ０４の処理の後、ユーザ情報取得部１０８によって、取得された給油実績の情報に基づいて、給油所選択部１０７により選択された給油所毎にポイントが計算される（Ｓ０５）。一例として、図２に示すユーザＩＤが“０００１”のユーザの“Ａスタンド”でのポイントを示す。図２に示すように、当該ユーザの給油実績は“Ａスタンド”では３０Ｌ、“Ｂスタンド”では７０Ｌである。一方、図３に示すように“Ａスタンド”では、Ａスタンドでの給油は１Ｌあたり１点、Ｂスタンドでの給油は１Ｌあたり０．５点としてポイントが計算される。従って、当該ユーザのポイントは、３０×１＋７０×０．５で６５点となる。算出されたポイントの情報は、ユーザ情報取得部１０８から特典情報取得部１０９に出力される。
【００３８】
続いて、特典情報取得部１０９によって、ユーザ情報取得部１０８により取得あるいは計算されたユーザの属性及びポイントに応じて、給油所選択部１０７により選択された給油所毎の特典情報が給油所特典データベース１０４から取得される（Ｓ０６）。上述しように、特典情報の取得は、ユーザの属性及びポイントに基づいて、給油所特典データベース１０４に格納されたユーザの属性及びポイントの条件に合致したものに対して行われる。一例として、図２に示すユーザＩＤが“０００１”のユーザの“Ａスタンド”での特典情報を示す。上述したように当該ユーザのポイントは６５であり、当該ユーザの自動車は“ＲＶ車”であり、職業は“自営業”であるので、図３に示す（１）（３）（５）の条件に合致し、それらの特典情報が取得される。取得された特典情報は、特典情報取得部１０９からデータ結合部１１０に出力される。
【００３９】
続いて、データ結合部１１０によって、経路算出部１０６、給油所選択部１０７及びユーザ情報取得部１０８から入力されたユーザに提供される各情報が結合されて、端末２０に送信する情報が生成される（Ｓ０７）。データの結合は、図５に示すように、端末２０において当該情報が表示されたときに、経路算出部１０６により算出された経路を含む地図のデータの上に、当該経路示す情報と給油所選択部１０７により選択された給油所を示す情報とが重畳して表示されるように行われる。また、給油所の表示部分がクリック等されて指定されると、当該給油所におけるユーザに対する特典が表示されるように結合する。生成されたデータは、データ結合部１１０から出力部１１１に出力される。
【００４０】
続いて、出力部１１１から、データ結合部１１０によって生成され特典情報を含む情報が端末２０に送信される（Ｓ０８）。端末２０では、当該情報が受信されて、端末２０が備える表示装置に出力される。端末２０では、図５に示すように、出発地から目的地までの経路と、経路上（経路の近傍）に位置する給油所とが地図上に重畳されて表示される。また、ユーザが各給油所を指定すると、ユーザに応じた特典が表示される。例えば、上述したユーザＩＤが“０００１”のユーザによって“Ａスタンド”が指定されると、図５に示すように、特典情報取得部１０９によって取得された特典情報に係る表示がなされる。即ち、図３における“Ａスタンド”の（１）（３）（５）の特典情報が表示される。また、端末２０における表示には、図５に示すようにユーザの氏名やユーザの先月の給油量等の上述した特典以外の情報を含めるようにしてもよい。その場合は、それらの情報は、データ結合部１１０により生成されるデータに含められる。
【００４１】
ユーザは、表示装置に出力された情報を参照して、出発地から目的地までの経路を知ることができ、更に経路上の給油所でどのような特典を受けることができるかを知ることができる。
【００４２】
上述したように、本実施形態に係る情報提供システム１０では、ユーザは自身を特定する情報に加えて出発地及び目的地を示す情報を入力するだけで、移動経路上に存在する給油所についても、特典情報等の店舗情報を容易に取得することができる。一方で、ユーザによる特典情報等の店舗情報の取得が宣伝広告となるため、給油所等の店舗においても効果的に顧客を誘導して集客を行うことができる。
【００４３】
また、本実施形態のように、特典情報の取得を、ユーザの属性を示す情報及び給油実績等のユーザの購買に関する情報に基づいて行うこととすれば、ユーザ毎に適切な情報の提供を行うことができるため、適切かつ訴求力の高い情報の提供を行うことができより効果的に集客を行うことができる。
【００４４】
また、本実施形態のように提供する情報をユーザに対する特典を示す特典情報を含むこととすれば、ユーザに対して訴求力の高い情報の提供を行うことができ更に効果的に集客を行うことができる。
【００４５】
また、給油所選択部１０７により選択され情報を提供する対象となる給油所の選択を、給油所を含む所定の範囲を算出された経路が通る場合に当該給油所を当該経路の近傍に位置する給油所として選択するように行うこととすれば、確実に経路の近傍に位置する給油所を選択できるので、本発明を確実に実施することができる。
【００４６】
また、本実施形態のように、給油所の特典情報を、地図情報にリンクさせて出力することとすれば、ユーザが閲覧しやすい形式で情報を提供することができる。
【図面の簡単な説明】
【００４７】
【図１】本発明の実施形態に係る情報提供システムの構成を示す図である。
【図２】実施形態におけるユーザデータベースのテーブルを示す図である。
【図３】実施形態における給油所特典データベースのテーブルを示す図である。
【図４】本発明の実施形態に係る情報提供システムで実行される処理を示すフローチャートである。
【図５】端末における画面出力の例を示す図である。
【符号の説明】
【００４８】
１０…情報提供システム、１０１…地図情報データベース、１０２…給油所位置データベース、１０３…ユーザデータベース、１０４…給油所特典データベース、１０５…入力受付部、１０６…経路算出部、１０７…給油所選択部、１０８…ユーザ情報取得部、１０９…特典情報取得部、１１０…データ結合部、１１１…出力部、２０…端末、３０…ＰＯＳシステム、４０…情報入力用端末、Ｎ…通信網。
【図１】
2008089342.tif 000003
【図２】
2008089342.tif 000004
【図３】
2008089342.tif 000005
【図４】
2008089342.tif 000006
【図５】
2008089342.tif 000007